(57)【特許請求の範囲】
【請求項１】
画面を有する情報処理装置であって、
第１基板と、
前記画面と前記第１基板との間に配置されたシャーシと、
フレキシブル基板である第２基板と、を備え、
前記第２基板が、前記シャーシに設けられた孔部を介して、前記第１基板と前記画面とを接続し、
前記第１基板は、前記第２基板側の面に、第１接点を備え、
前記第２基板は、前記第１基板側の面に、第２接点を備え、
前記第１接点と前記第２接点が、前記シャーシと前記第１基板との間に挟まれた状態で接触する、
情報処理装置。
【請求項２】
前記シャーシがクッション材を備え、
前記クッション材が、前記第２接点を前記第１接点側に押し付ける、
請求項１に記載の情報処理装置。
【請求項３】
前記第１接点と前記第２接点とが接触していない場合、少なくとも一部の機能が使用不可能になる、
請求項１または請求項２に記載の情報処理装置。
【請求項４】
前記少なくとも一部の機能は、決済機能である、
請求項３に記載の情報処理装置。
【発明の詳細な説明】
【技術分野】
【０００１】
本開示は、情報処理装置に関する。
【背景技術】
【０００２】
特許文献１は、決済機能を有する携帯型決済端末であって、被記録媒体に印刷を行う印刷手段と、端末操作者が操作を行う操作手段と、非接触型ＩＣ媒体からの情報の読み取り、及び非接触型ＩＣ媒体への情報の書き込みを行う非接触型ＩＣ媒体読書手段と、磁気媒体から磁気情報を読み取る磁気情報読取手段と、符号を読み取る符号読取手段と、接触型ＩＣ媒体から情報を読み取る接触型媒体カード読取手段と、前記接触型ＩＣ媒体に対応する認証情報の入力操作を行う認証情報入力手段と、決済端末本体に対して電力を供給する電池が装着される電池装着部と、を決済端末本体に集約して一体的に設けた携帯型決済端末が記載されている。
【先行技術文献】
【特許文献】
【０００３】
【特許文献１】特開２０１２−１８５５４３号公報
【発明の概要】
【発明が解決しようとする課題】
【０００４】
本開示は、耐タンパ性を有する、画面を備えた情報処理装置を提供することを目的とする。
【課題を解決するための手段】
【０００５】
本開示は、画面を有する情報処理装置であって、第１基板と、前記画面と前記第１基板との間に配置されたシャーシと、フレキシブル基板である第２基板と、を備え、前記第２基板が、前記シャーシに設けられた孔部を介して、前記第１基板と前記画面とを接続し、前記第１基板は、前記第２基板側の面に、第１接点を備え、前記第２基板は、前記第１基板側の面に、第２接点を備え、前記第１接点と前記第２接点が、前記シャーシと前記第１基板との間に挟まれた状態で接触する、情報処理装置を提供する。
【発明の効果】
【０００６】
耐タンパ性を有する、画面を備えた情報処理装置を提供することができる。
【図面の簡単な説明】
【０００７】
【図１】本開示の情報処理装置１の一例を示す図であり、（ａ）上面図、（ｂ）側面図
【図２】情報処理装置１の表示面２付近を示す断面図
【図３】不正アクセス者による不正アクセス行為の開始時における、情報処理装置１の表示面２付近を示す断面図
【図４】図３のＡ部拡大図
【図５】不正アクセス者による不正アクセス行為の検知時における、情報処理装置１の表示面２付近を示す断面図
【図６】図５のＡ部拡大図
【発明を実施するための形態】
【０００８】
（本開示に至る経緯）
情報処理装置は、セキュリティの確保が求められる。特に、決済機能を有する情報処理装置である決済端末は、金銭を扱うため、高度のセキュリティ（耐タンパ性）の確保が求められる。耐タンパ性とは、機器や装置などが、外部から内部構造や記録されたデータなどを解析、読み取り、改ざん等されにくいようになっている状態をいう。
【０００９】
近年、決済端末は、店舗のレジスターの周辺に配置される決済端末や、スマートフォン、タブレット端末等の形態で実現されている。
【００１０】
情報処理装置は、一般に、情報を提示するための画面を備えている。画面は、例えば液晶画面であってよいが、それ以外の形式の画面でもよい。上述の改ざん等を行おうとする者（以下、「不正アクセス者」と表記する）は、例えば液晶画面の縁部などを切断して、情報処理装置の内部に不正にアクセスしようと試みることがあり得る。情報処理装置の耐タンパ性を確保するためには、情報処理装置は、上記のような画面を切断することによる不正アクセスに対しても、防御手段を備えていることが重要となる。
【００１１】
そこで本開示において、画面を切断することによる不正アクセスに対しても、耐タンパ性を有する、情報処理装置を詳述する。
【００１２】
以下、適宜図面を参照しながら、本開示に係る情報処理装置を具体的に開示した実施形態（以下、「本実施形態」という）を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面および以下の説明は、当業者が本開示を十分に理解するために提供されるのであって、これらにより特許請求の範囲に記載の主題を限定することは意図されていない。
【００１３】
（情報処理装置の概要）
図１は、本開示の情報処理装置１の一例を示す図であり、（ａ）上面図、（ｂ）側面図である。
【００１４】
本開示の一例である情報処理装置１は、利用者（商品の購入者等）が複数の決済方式を選択することが可能な複合式決済端末であってよい。情報処理装置１は、店舗（コンビニエンスストア、レストラン、本屋等）のカウンター上の、レジスターの周辺に載置されることがある。本開示の一例である情報処理装置１は、利用者が使用する利用者面３と、店舗の店員等が使用する表示面２とを備えている。
【００１５】
本開示の一例である情報処理装置１は、利用者面３側に、磁気カード決済用スロット４と、接触型ＩＣカード決済用スロット５と、非接触型ＩＣカード決済用のタッチ領域６とが集約して設けられている。利用者（商品の購入者等）は、利用したい決済方式（磁気、接触型ＩＣ、非接触型ＩＣ）に応じて、磁気カードをスワイプする、ＩＣカードを挿入する、非接触型ＩＣカードをタッチする、等の動作を行い、決済を行う。
【００１６】
本開示の一例である情報処理装置１は、表示面２側に、画面２０を備える。店員等は、この画面２０に表示された情報を読み取る。また、画面２０は、タッチパネル式の画面であってもよく、店員等はタッチパネルを介して情報処理装置１を操作することができる。
【００１７】
上記は情報処理装置１の一例である。情報処理装置１は、例えばスマートフォンやタブレット等の、上記の画面２０と同様の画面を有する情報端末であってよい。図１に示されている画面２０は、情報処理装置１が置かれる底面等に対して傾斜している。しかし、スマートフォンやタブレット等の例のように、画面は情報処理装置１が置かれる底面等に対して傾斜していなくてもよい。また、利用者面３が、上記の画面２０と同様の画面を有していてもよい。
【００１８】
（情報処理装置１の表示面２付近）
図２は、情報処理装置１の表示面２付近を示す断面図である。情報処理装置１は、筐体１０と、筐体１０の裏側に収納される、画面２０と、第１基板２１と、第２基板２２と、シャーシ２３とを備える。なお、筐体１０における情報処理装置１の外側に向かう側を筐体１０の表側とし、筐体１０における情報処理装置１の内側に向かう側を筐体１０の裏側とする。
【００１９】
画面２０は液晶パネル等からなり、筐体１０の裏面側に配置されて、情報処理装置１の操作に必要な表示を行う。画面２０を保護するために、筐体１０にはガラスやアクリル等の透明部材１１が設けられていてもよい。
【００２０】
第１基板２１は、例えばプリント基板であってよい。第１基板２１には、画面２０による情報表示を制御する制御装置が実装されていてよい。その他、第１基板２１には、情報処理装置１による各種の情報処理を行うための部品が実装されていてよい。前記情報処理には、認証処理や、決済処理が含まれていてよい。
【００２１】
第２基板２２は、第１基板２１と電気的に接合するフレキシブルプリント基板（ＦＰＣ）であり、第１基板２１と画面２０の裏面側とを接続する。図示されている例においては、第２基板２２は、第１基板２１の接続部２１ｃと、画面２０の接続部２０ｃとを接続している。第１基板２１からの表示信号が第２基板２２を介して画面２０へと送られ、画面２０が情報を表示する。
【００２２】
シャーシ２３は画面２０と第１基板２１との間に配置される。シャーシ２３は、金属で形成されていてよい。シャーシ２３には、孔部２４が形成されている。第２基板２２は、シャーシ２３に設けられた孔部２４を介して、第１基板２１と画面２０とを接続している。シャーシ２３に設けられた孔部２４の位置は任意である。図示されている例において、孔部２４は、画面２０の面に直交する方向Ｌに沿って、透明部材１１と重なる部分に設けられている。しかし、孔部２４は、前記方向Ｌに沿って透明部材１１と重ならない部分（例えば、筐体１０の裏側付近）に設けられてもよい。
【００２３】
第１基板２１は、第２基板２２側の面（図における上面）に、第１接点２５を備える。一方、第２基板２２は、第１基板２１側の面（図における下面）に、第２接点２６を備える。そして、第１接点２５と第２接点２６が、シャーシ２３と第１基板２１との間に挟まれた状態で接触している。第１接点２５および第２接点２６はそれぞれ、パッド状に形成されていてよく、第１接点２５と第２接点２６との間の接触は、面接触等であってよい。
【００２４】
図示は省略するが、第１基板２１の中には、不正アクセス検出用の第１基板側信号線が設けられており、第１基板側信号線が、第１接点２５と接続されている。同様に、第２基板２２の中にも、不正アクセス検出用の第２基板側信号線が設けられており、第２基板側信号線が、第２接点２６と接続されている。従って、第１接点２５と第２接点２６とが接触している場合、第１基板側信号線と第２基板側信号線とが接続された状態となる。
【００２５】
第１接点２５と第２接点２６との間の接触を確実なものとするために、シャーシ２３の第１基板２１側にクッション材２７が設けられている。クッション材２７は、例えば低反発のウレタンフォームで形成されていてよいが、クッション材の材質については限定しない。クッション材２７は、第２基板２２における、第２接点２６が設けられた面とは反対側に位置づけられ、第２接点２６を第１接点２５側に押しつけている。
【００２６】
図示されている例において、第１接点２５、第２接点２６、およびクッション材２７は、画面２０の面に直交する方向Ｌに沿って、透明部材１１と重なる部分に設けられている。しかし、液晶画面（画面２０）にシミが発生するのを防止する観点から、第１接点２５、第２接点２６、およびクッション材２７は、前記方向Ｌに沿って透明部材１１と重ならない部分（例えば、筐体１０の裏側付近）に設けられてもよい。
【００２７】
（不正アクセスの検出）
図３は、不正アクセス者による不正アクセス行為の開始時における、情報処理装置１の表示面２付近を示す断面図である。図４は、図３のＡ部拡大図である。
【００２８】
不正アクセス者は、画面２０の縁部Ｂ（画面２０と筐体１０との境目付近）などを切断して、情報処理装置１の内部に不正にアクセスしようと試みる（図３参照）。この不正アクセスにより画面２０が持ち上げられる前の段階においては、第１接点２５と第２接点２６とが接触しており、第１基板側信号線と第２基板側信号線とが接続された状態となっている（図４参照）。ここで、情報処理装置１は、不正アクセスを検出するための電気信号を、第１基板側信号線および第２基板側信号線に対して、定期的にあるいは連続して流している。
【００２９】
図５は、不正アクセス者による不正アクセス行為の検知時における、情報処理装置１の表示面２付近を示す断面図である。図６は、図５のＡ部拡大図である。
【００３０】
不正アクセス者は、切断した画面２０を持ち上げて、情報処理装置１の内部に不正にアクセスしようと試みる（図５参照）。この時、画面２０と接続部２０ｃで接続された第２基板２２も、持ち上げられた画面２０に追随して持ち上げられる。すると、第２基板２２に設けられた第２接点２６も持ち上げられ、第２接点２６が第１接点２５から離れる。第２接点２６が第１接点２５から離れると、第１接点２５と第２接点２６とが接触していない状態となる（図６参照）。
【００３１】
第１接点２５と第２接点２６とが接触していない場合、第１基板側信号線と第２基板側信号線との間の接続も切断される。すると、上述の、不正アクセスを検出するための電気信号が、第１基板側信号線および第２基板側信号線に流れなくなる。情報処理装置１は、不正アクセスを検出するための電気信号が流れなくなったことを検出し、情報処理装置１が有する少なくとも一部の機能を使用不可能にする。
【００３２】
情報処理装置１が、不正アクセスを検出するための電気信号が流れなくなったことを検出した時に使用不可能にする機能（以下、「保護される機能」）は、情報処理装置１（図１参照）が有する決済機能であってよい。保護される機能（保護される決済機能）には、例えば、以下のようなものが含まれてよい。
・磁気カードによる決済機能（磁気カード決済用スロット４による、磁気カードからの情報読み取り等）
・接触型ＩＣカードによる決済機能（接触型ＩＣカード決済用スロット５による、ＩＣカードからの情報読み取り等）
・非接触型ＩＣカードによる決済機能（非接触型ＩＣカード決済用のタッチ領域６による、非接触型ＩＣカードからの情報読み取り等）
・情報処理装置１が備える記憶領域からの情報読み出し機能。
【００３３】
情報処理装置１が、不正アクセスを検出するための電気信号が流れなくなったことを検出した時に、情報処理装置１は、電源が入らなくなってもよい。この場合、保護される機能は、情報処理装置１が有する全ての機能となる。
【００３４】
以上のように、画面を有する情報処理装置が、第１基板と、前記画面と前記第１基板との間に配置されたシャーシと、フレキシブル基板である第２基板と、を備え、前記第２基板が、前記シャーシに設けられた孔部を介して、前記第１基板と前記画面とを接続し、前記第１基板は、前記第２基板側の面に、第１接点を備え、前記第２基板は、前記第１基板側の面に、第２接点を備え、前記第１接点と前記第２接点が、前記シャーシと前記第１基板との間に挟まれた状態で接触する。これにより、耐タンパ性を有する、画面を備えた情報処理装置を提供することができる。また、第２基板がフレキシブル基板であれば、第２基板が柔軟に変形することが可能である。この場合、不正アクセス者が画面を切断して持ち上げた時に、第２基板が画面に柔軟に追随するので、第１基板や第２基板等の部材が破壊されない。すると、前記部材の破壊時の衝撃や音などもなくなるので、不正アクセス行為が情報処理装置によって検知されていることを、不正アクセス者が気づきにくい。
【００３５】
前記シャーシがクッション材を備え、前記クッション材が、前記第２接点を前記第１接点側に押し付ける。これにより、振動、気温の変位、寸法誤差等を吸収することができ、第１接点と第２接点との間の接触を確実なものとすることができる。
【００３６】
前記第１接点と前記第２接点とが接触していない場合、少なくとも一部の機能が使用不可能になる。これにより、画面を切断するタイプの不正アクセス行為から、情報処理装置を保護することができる。
【００３７】
前記少なくとも一部の機能は、決済機能であってよい。これにより、画面を切断するタイプの不正アクセス行為から、情報処理装置の決済機能を保護することができる。
【００３８】
以上、図面を参照して本開示に係る情報処理装置の各種の実施形態について説明したが、本開示はかかる例に限定されないことは言うまでもない。当業者であれば、特許請求の範囲に記載された範疇内において、各種の変更例、修正例、置換例、付加例、削除例、均等例に想到し得ることは明らかであり、それらについても当然に本開示の技術的範囲に属するものと了解される。また、発明の趣旨を逸脱しない範囲において、上述した各種の実施の形態における各構成要素を任意に組み合わせてもよい。
【産業上の利用可能性】
【００３９】
本開示の情報処理装置は、画面の切断等に対する耐タンパ性の確保を望む分野に有用である。
【符号の説明】
【００４０】
１  情報処理装置
２  表示面
３  利用者面
４  磁気カード決済用スロット
５  接触型ＩＣカード決済用スロット
６  タッチ領域
１０  筐体
１１  透明部材
２０  画面
２０ｃ  接続部
２１  第１基板
２１ｃ  接続部
２２  第２基板
２３  シャーシ
２４  孔部
２５  第１接点
２６  第２接点
２７  クッション材
【要約】
【課題】耐タンパ性を有する、画面を備えた情報処理装置を提供する。
【解決手段】画面を有する情報処理装置が、第１基板と、前記画面と前記第１基板との間に配置されたシャーシと、フレキシブル基板である第２基板と、を備え、前記第２基板が、前記シャーシに設けられた孔部を介して、前記第１基板と前記画面とを接続し、前記第１基板は、前記第２基板側の面に、第１接点を備え、前記第２基板は、前記第１基板側の面に、第２接点を備え、前記第１接点と前記第２接点が、前記シャーシと前記第１基板との間に挟まれた状態で接触する。
【選択図】図２【図１】
0006887134.tif 000002
【図２】
0006887134.tif 000003
【図３】
0006887134.tif 000004
【図４】
0006887134.tif 000005
【図５】
0006887134.tif 000006
【図６】
0006887134.tif 000007